(57)【要約】【課題】移動局ＵＥの待ち受けセルが繰り返し変更されるという現象の発生を防ぐ。【解決手段】本発明に係る移動局ＵＥは、各無線アクセスネットワークの周波数又は周波数群に対する優先度を含む個別シグナリングを受信する個別シグナリング受信部１２と、かかる優先度又は各セルにおける無線品質に基づいて待ち受けセルを選択する待ち受け処理部１３とを具備し、個別シグナリング受信部１２によって受信された個別シグナリングに所定フラグが設定されている場合には、待ち受け処理部１３は、同一の無線アクセスネットワーク内の異なる周波数が使用されている複数のセルの中から、各セルにおける無線品質に基づいて待ち受けセルを選択し、異なる無線アクセスネットワーク内の複数のセルの中から、個別シグナリングに含まれている前記優先度に基づいて待ち受けセルを選択するように構成されている。【選択図】図１
2010183543.tif 000002
【特許請求の範囲】
【請求項１】
各無線アクセスネットワークの周波数又は周波数群に対する優先度を含む個別シグナリングを受信するように構成されている個別シグナリング受信部と、
前記優先度又は各セルにおける無線品質に基づいて、待ち受けセルを選択するように構成されている待ち受け処理部とを具備し、
前記個別シグナリング受信部によって受信された前記個別シグナリングに所定フラグが設定されている場合には、前記待ち受け処理部は、同一の無線アクセスネットワーク内の異なる周波数が使用されている複数のセルの中から、前記各セルにおける無線品質に基づいて待ち受けセルを選択し、異なる無線アクセスネットワーク内の複数のセルの中から、該個別シグナリングに含まれている前記優先度に基づいて待ち受けセルを選択するように構成されていることを特徴とする移動局。
【請求項２】
前記個別シグナリング受信部によって受信された前記個別シグナリングに前記所定フラグが設定されていない場合には、前記待ち受け処理部は、同一の無線アクセスネットワーク内の異なる周波数が使用されている複数のセルの中から、該個別シグナリングに含まれている前記優先度に基づいて待ち受けセルを選択するように構成されていることを特徴とする請求項１に記載の移動局。
【請求項３】
前記個別シグナリングは、ＲＲＣコネクション開放信号であることを特徴とする請求項１又は２に記載の移動局。
【請求項４】
前記所定フラグは、無線アクセスネットワーク毎に設定されていることを特徴とする請求項１乃至３のいずれか一項に記載の移動局。
【請求項５】
前記所定フラグは、全ての無線アクセスネットワークに共通に設定されていることを特徴とする請求項１乃至３のいずれか一項に記載の移動局。
【請求項６】
無線基地局が、移動局に対して、各無線アクセスネットワークの周波数又は周波数群に対する優先度を含む個別シグナリングを送信する工程Ａと、
前記移動局が、前記優先度又は各セルにおける無線品質に基づいて、待ち受けセルを選択する工程Ｂとを有し、
前記工程Ｂにおいて、前記移動局は、受信した前記個別シグナリングに所定フラグが設定されている場合には、同一の無線アクセスネットワーク内の異なる周波数が使用されている複数のセルの中から、前記各セルにおける無線品質に基づいて待ち受けセルを選択し、異なる無線アクセスネットワーク内の複数のセルの中から、該個別シグナリングに含まれている前記優先度に基づいて待ち受けセルを選択することを特徴とする移動通信方法。
【請求項７】
前記工程Ｂにおいて、前記移動局は、受信した前記個別シグナリングに所定フラグが設定されていない場合には、前記移動局は、同一の無線アクセスネットワーク内の異なる周波数が使用されている複数のセルの中から、該個別シグナリングに含まれている前記優先度に基づいて待ち受けセルを選択することを特徴とする請求項６に記載の移動通信方法。
【請求項８】
前記個別シグナリングは、ＲＲＣコネクション開放信号であることを特徴とする請求項６又は７に記載の移動通信方法。
【請求項９】
前記所定フラグは、無線アクセスネットワーク毎に設定されていることを特徴とする請求項６乃至８のいずれか一項に記載の移動通信方法。
【請求項１０】
前記所定フラグは、全ての無線アクセスネットワークに共通に設定されていることを特徴とする請求項６乃至８のいずれか一項に記載の移動通信方法。
【発明の詳細な説明】
【技術分野】
【０００１】
本発明は、移動局及び移動通信方法に関する。
【背景技術】
【０００２】
３ＧＰＰのＲｅｌｅａｓｅ.８では、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式や、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式や、ＬＴＥ（Ｌｏｎｇ  Ｔｅｒｍ  Ｅｖｏｌｕｔｉｏｎ）方式において、「Ｐｒｉｏｒｉｔｙ制御」を適用することが検討されている。
【０００３】
Ｐｒｉｏｒｉｔｙ制御は、ネットワークの負荷分散を目的として、移動局ＵＥが、各無線アクセスネットワークの周波数（キャリア）又は周波数群に対する優先度（Ｐｒｉｏｒｉｔｙ）に基づいて、セル選択処理（Ｃｅｌｌ  Ｒｅｓｅｌｅｃｔｉｏｎ）を行う制御である。
【０００４】
例えば、かかるＰｒｉｏｒｉｔｙ制御では、上述の優先度として「０」〜「７」が設定可能であり、「７」が最も高い優先度であり、移動局ＵＥは、待ち受けセルとして、無線品質（ＲＳＣＰ又はＲＳＲＰ）が所定の条件を満たした場合に、優先度が高いセルを優先的に選択するように構成されている。
【０００５】
なお、移動局ＵＥは、各セルにおける報知情報によって当該優先度を取得してもよいし、各移動局ＵＥ用の個別シグナリング（例えば、ＲＲＣコネクション開放時の「ＲＲＣ  Ｃｏｎｎｅｃｔｉｏｎ  Ｒｅｌｅａｓｅメッセージ」等）によって当該優先度を取得してもよい。
【０００６】
既存のＵＭＴＳ方式又はＧＳＭ方式の無線アクセスネットワークにおいては、無線品質（例えば、ＲＳＣＰ又はＥｃ/Ｎ０）に基づくセル選択処理を最適化するように、各セルの配置やセル選択処理用パラメータの設定等がなされている。したがって、オペレータとしては、新たなＰｒｉｏｒｉｔｙ制御を行うよりも、既存のネットワークで用いられていたセル選択処理を行う方が望ましい。
【０００７】
すなわち、オペレータは、移動局ＵＥの動作として、ＵＭＴＳ方式の無線アクセスネットワーク又はＧＳＭ方式の無線アクセスネットワークにおいて、同一の周波数が使用されている複数のセル間におけるセル選択処理（Ｉｎｔｒａ-Ｆｒｅｑｕｅｎｃｙ  Ｃｅｌｌ  Ｒｅｓｅｌｅｃｔｉｏｎ）や、異なる周波数が使用されている複数のセル間におけるセル選択処理（Ｉｎｔｅｒ-Ｆｒｅｑｕｅｎｃｙ  Ｃｅｌｌ  Ｒｅｓｅｌｅｃｔｉｏｎ）については、従来の無線品質に基づくセル再選択処理を実施し、ＵＭＴＳ方式の無線アクセスネットワーク内のセルとＬＴＥ方式の無線アクセスネットワーク内のセルとの間のセル選択処理（Ｉｎｔｅｒ-ＲＡＴ  Ｃｅｌｌ  Ｓｅｌｅｃｔｉｏｎ）については、Ｐｒｉｏｒｉｔｙ制御を適用したい。
【０００８】
ここで、３ＧＰＰのＲｅｌｅａｓｅ.８では、上述の動作を実現するために、ＧＳＭ方式又はＵＭＴＳ方式（Ｌｅｇａｃｙ  Ｓｙｓｔｅｍ）において、各無線アクセスネットワークの周波数（キャリア）又は周波数群に対する優先度が設定されない場合は、従来の無線品質に基づくセル再選択処理が実施されることが合意されている。
【０００９】
上述の動作を実現するための移動通信システムの一例について、図４及び図５を参照して説明する。
【００１０】
図４に示すように、かかる移動通信システムでは、ＬＴＥ方式の無線アクセスネットワーク内のセルＬＴＥ-Ｆ０と、ＵＭＴＳ方式の無線アクセスネットワーク内のセルＵＴＲＡ-Ｆ１と、ＵＭＴＳ方式の無線アクセスネットワーク内のセルＵＴＲＡ-Ｆ２とがオーバレイしている。
【００１１】
ここで、セルＬＴＥ-Ｆ０で使用されている周波数は「Ｆ０」であり、セルＵＴＲＡ-Ｆ１で使用されている周波数「Ｆ１」であり、セルＵＴＲＡ-Ｆ２で使用されている周波数「Ｆ２」である。
【００１２】
セルＬＴＥ-Ｆ０における報知情報（ＳＩＢ３/ＳＩＢ６）には、セルＬＴＥ-Ｆ０の優先度として「５」が含まれ、セルＵＴＲＡ-Ｆ１の優先度として「３」が含まれ、セルＵＴＲＡ-Ｆ２の優先度として「３」が含まれている。
【００１３】
また、セルＵＴＲＡ-Ｆ１における報知情報（ＳＩＢ１９）には、セルＬＴＥ-Ｆ０の優先度として「５」が含まれ、セルＵＴＲＡ-Ｆ１の優先度として「３」が含まれている。
【００１４】
ここで、セルＵＴＲＡ-Ｆ１における報知情報に、セルＵＴＲＡ-Ｆ２の優先度が設定されていないのは、セルＵＴＲＡ-Ｆ１とセルＵＴＲＡ-Ｆ２との間のセル選択処理は、従来の無線品質に基づくセル再選択処理を適用するためである。
【００１５】
現在の３ＧＰＰの仕様に従うと、移動局ＵＥは、ＵＭＴＳ方式の無線アクセスネットワーク内のセルに在圏している際に、ＵＭＴＳ方式の無線アクセスネットワーク内で、かかるセルで使用されている周波数（キャリア）と異なる周波数に対する優先度を一切持たない場合は、従来の無線品質に基づくセル再選択処理を行うこととなっている。
【００１６】
したがって、かかる例では、移動局ＵＥは、セルＵＴＲＡ-Ｆ１に在圏している際に、ＵＭＴＳ方式の無線アクセスネットワーク内で、かかるセルで使用されている周波数（キャリア）と異なる周波数（例えば、セルＵＴＲＡ-Ｆ２で使用されている周波数）に対する優先度を持たないため、従来の無線品質に基づくセル再選択処理を行うこととなる。
【００１７】
同様に、セルＵＴＲＡ-Ｆ２における報知情報（ＳＩＢ１９）には、セルＬＴＥ-Ｆ０の優先度として「５」が含まれ、セルＵＴＲＡ-Ｆ２の優先度として「３」が含まれている。
【００１８】
以上のように、全てのセルにおける報知情報において、セルＬＴＥ-Ｆ０の優先度が高く設定されており、移動局ＵＥは、セルＬＴＥ-Ｆ０を待ち受けセルとして選択しやすいように設定されている。
【先行技術文献】
【非特許文献】
【００１９】
【非特許文献１】３ＧＰＰ  ＴＳ２５.３０４  ｖ８.５.０
【非特許文献２】３ＧＰＰ  ＴＳ２５.３３１  ｖ８.５.０
【非特許文献３】３ＧＰＰ  ＴＳ３６.３０４  ｖ８.５.０
【非特許文献４】３ＧＰＰ  ＴＳ３６.３３１  ｖ８.５.０
【発明の概要】
【発明が解決しようとする課題】
【００２０】
主としてパケット通信を行うカード型移動端末等のＵＭＴＳ方式及びＬＴＥ方式のデュアル端末は、ＬＴＥ方式の無線アクセスネットワーク内のセルに在圏する方が望ましいが、主として音声通話を行うＵＭＴＳ方式及びＬＴＥ方式のデュアル端末は、ＵＭＴＳ方式の無線アクセスネットワーク内のセルに在圏する方が望ましい。
【００２１】
これは、ＬＴＥ方式は、パケット通信に特化した移動通信システムであり、音声通話は、ＵＭＴＳ方式のみで提供される運用形態も考えられるためである。音声通話の発着信成功率や接続遅延を考慮すると、主として音声通話を行うデュアル端末は、ＵＭＴＳ方式の無線アクセスネットワーク内のセルを優先的に選択して待ち受けすることが望ましい。
【００２２】
したがって、報知情報では、ＬＴＥ方式の無線アクセスネットワーク内のセルで使用されている周波数に対する優先度を高く設定しているが、主として音声通話を行うＵＭＴＳ方式及びＬＴＥ方式のデュアル端末に対しては、個別シグナリング（ＲＲＣ  Ｃｏｎｎｅｃｔｉｏｎ  Ｒｅｌｅａｓｅメッセージ等）で、ＵＭＴＳ方式の無線アクセスネットワーク内のセルで使用されている周波数に対する優先度を高く設定することが想定される。
【００２３】
しかしながら、かかる場合、以下のような問題点が発生する。かかる問題点について、図５を参照して説明する。
【００２４】
図５に示すように、無線基地局ｅＮＢは、ＬＴＥ方式の無線アクセスネットワークで通信中の移動局ＵＥ（ＵＭＴＳ方式及びＬＴＥ方式のデュアル端末）に対して、個別シグナリングによって、セルＬＴＥ-Ｆ０の優先度「４」及びセルＵＴＲＡ-Ｆ１の優先度「６」を通知し、セルＵＴＲＡ-Ｆ１に「Ｒｅｄｉｒｅｃｔ」するように指示する。
【００２５】
その結果、移動局ＵＥでは、セルＵＴＲＡ-Ｆ１の優先度「６」の方が、セルＬＴＥ-Ｆ０の優先度「４」よりも高くなり、移動局ＵＥは、セルＵＴＲＡ-Ｆ１における待ち受けを開始する。
【００２６】
ステップＳ２００２において、移動局ＵＥは、セルＵＴＲＡ-Ｆ１とセルＵＴＲＡ-Ｆ２との間で、従来の無線品質に基づくセル再選択処理を行う。
【００２７】
現在の３ＧＰＰの仕様に従い、移動局ＵＥが、ＵＴＲＡ方式の無線アクセスネットワーク内のセルに在圏している際に、ＵＭＴＳ方式の無線アクセスネットワーク内で、かかるセルで使用されている周波数と異なる周波数に対する優先度を一切持たない場合は、従来の無線品質に基づくセル再選択処理を行うこととなっている。
【００２８】
かかる例では、移動局ＵＥは、セルＵＴＲＡ-Ｆ１に在圏している際に、ＵＭＴＳ方式の無線アクセスネットワーク内で、かかるセルで使用されている周波数（キャリア）と異なる周波数（例えば、セルＵＴＲＡ-Ｆ２で使用されている周波数）に対する優先度を持たないため、従来の無線品質に基づくセル再選択処理を行うこととなる。
【００２９】
その結果、セルＵＴＲＡ-Ｆ２における無線品質の方が、セルＵＴＲＡ-Ｆ１における無線品質よりも良くなると、移動局ＵＥは、従来の無線品質に基づくセル再選択処理に従って、セルＵＴＲＡ-Ｆ２における待ち受けを開始する。
【００３０】
ステップＳ２００３において、移動局ＵＥでは、現在の３ＧＰＰの仕様に従い、優先度が設定されていないセルＵＴＲＡ-Ｆ２に在圏した場合には、当該セルＵＴＲＡ-Ｆ２対しては、最も低い優先度「-１」（設定可能な優先度「０」よりも小さい優先度）が自動的に適用される。
【００３１】
ステップＳ２００４において、移動局ＵＥは、セルＬＴＥ-Ｆ０とセルＵＴＲＡ-Ｆ２との間で、上述のＰｒｉｏｒｉｔｙ制御を行う。その結果、セルＬＴＥ-Ｆ０の優先度「４」が、セルＵＴＲＡ-Ｆ２の優先度「-１」よりも高いため、移動局ＵＥは、上述のＰｒｉｏｒｉｔｙ制御に従って、セルＬＴＥ-Ｆ０における待ち受けを開始する。
【００３２】
そして、ステップＳ２００５において、セルＵＴＲＡ-Ｆ１の優先度「６」が、セルＬＴＥ-Ｆ０の優先度「４」よりも高いため、移動局ＵＥは、セルＵＴＲＡ-Ｆ１における待ち受けを開始する。
【００３３】
その後、ステップＳ２００６において、再度、セルＵＴＲＡ-Ｆ２における無線品質の方が、セルＵＴＲＡ-Ｆ１における無線品質より良いため、移動局ＵＥは、セルＵＴＲＡ-Ｆ２における待ち受けを開始する。
【００３４】
このように、移動局ＵＥの待受けセルが、セルＬＴＥ-Ｆ０→セルＵＴＲＡ-Ｆ１→セルＵＴＲＡ-Ｆ２→セルＬＴＥ-Ｆ０→…のように繰り返し変更されるという現象が発生してしまう。
【００３５】
そこで、本発明は、上述の課題に鑑みてなされたものであり、移動局ＵＥの待ち受けセルが繰り返し変更されるという現象の発生を防ぐことができる移動局及び移動通信方法を提供することを目的とする。
【課題を解決するための手段】
【００３６】
本発明の第１の特徴は、移動局であって、各無線アクセスネットワークの周波数（キャリア）又は周波数群に対する優先度を含む個別シグナリングを受信するように構成されている個別シグナリング受信部と、前記優先度又は各セルにおける無線品質に基づいて、待ち受けセルを選択するように構成されている待ち受け処理部とを具備し、前記個別シグナリング受信部によって受信された前記個別シグナリングに所定フラグが設定されている場合には、前記待ち受け処理部は、同一の無線アクセスネットワーク内の異なる周波数が使用されている複数のセルの中から、前記各セルにおける無線品質に基づいて待ち受けセルを選択し、異なる無線アクセスネットワーク内の複数のセルの中から、該個別シグナリングに含まれている前記優先度に基づいて待ち受けセルを選択するように構成されていることを要旨とする。
【００３７】
本発明の第２の特徴は、移動通信方法であって、無線基地局が、移動局に対して、各無線アクセスネットワークの周波数（キャリア）又は周波数群に対する優先度を含む個別シグナリングを送信する工程Ａと、前記移動局が、前記優先度又は各セルにおける無線品質に基づいて、待ち受けセルを選択する工程Ｂとを有し、前記工程Ｂにおいて、前記移動局は、受信した前記個別シグナリングに所定フラグが設定されている場合には、同一の無線アクセスネットワーク内の異なる周波数が使用されている複数のセルの中から、前記各セルにおける無線品質に基づいて待ち受けセルを選択し、異なる無線アクセスネットワーク内の複数のセルの中から、該個別シグナリングに含まれている前記優先度に基づいて待ち受けセルを選択することを要旨とする。
【発明の効果】
【００３８】
以上説明したように、本発明によれば、移動局ＵＥの待ち受けセルが繰り返し変更されるという現象の発生を防ぐことができる移動局及び移動通信方法を提供することができる。
【図面の簡単な説明】
【００３９】
【図１】本発明の第１の実施形態に係る移動通信システムについて説明するための図である。
【図２】本発明の第１の実施形態に係る移動局の機能ブロック図である。
【図３】本発明の第１の実施形態に係る無線基地局の機能ブロック図である。
【図４】従来の移動通信システムについて説明するための図である。
【図５】従来の移動通信システムについて説明するための図である。
【発明を実施するための形態】
【００４０】
（本発明の第１の実施形態に係る移動通信システム）
図１乃至図４を参照して、本発明の第１の実施形態に係る移動通信システムについて説明する。
【００４１】
図４に示すように、かかる移動通信システムでは、ＬＴＥ方式の無線アクセスネットワーク内のセルＬＴＥ-Ｆ０と、ＵＭＴＳ方式の無線アクセスネットワーク内のセルＵＴＲＡ-Ｆ１と、ＵＭＴＳ方式の無線アクセスネットワーク内のセルＵＴＲＡ-Ｆ２とがオーバレイしている。
【００４２】
ここで、セルＬＴＥ-Ｆ０で使用されている周波数は「Ｆ０」であり、セルＵＴＲＡ-Ｆ１で使用されている周波数「Ｆ１」であり、セルＵＴＲＡ-Ｆ２で使用されている周波数「Ｆ２」である。
【００４３】
セルＬＴＥ-Ｆ０における報知情報（ＳＩＢ３/ＳＩＢ６）には、セルＬＴＥ-Ｆ０の優先度として「５」が含まれ、セルＵＴＲＡ-Ｆ１の優先度として「３」が含まれ、セルＵＴＲＡ-Ｆ２の優先度として「３」が含まれている。
【００４４】
また、セルＵＴＲＡ-Ｆ１における報知情報（ＳＩＢ１９）には、セルＬＴＥ-Ｆ０の優先度として「５」が含まれ、セルＵＴＲＡ-Ｆ１の優先度として「３」が含まれている。
【００４５】
同様に、セルＵＴＲＡ-Ｆ２における報知情報（ＳＩＢ１９）には、セルＬＴＥ-Ｆ０の優先度として「５」が含まれ、セルＵＴＲＡ-Ｆ２の優先度として「３」が含まれている。
【００４６】
図１に示すように、ステップＳ１００１において、無線基地局ｅＮＢは、ＬＴＥ方式の無線アクセスネットワークで通信中の移動局ＵＥ（ＵＭＴＳ方式及びＬＴＥ方式のデュアル端末）に対して、個別シグナリング（例えば、「ＲＲＣ  Ｃｏｎｎｅｃｔｉｏｎ  Ｒｅｌｅａｓｅメッセージ」）によって、セルＬＴＥ-Ｆ０の優先度「４」とセルＵＴＲＡ-Ｆ１の優先度「６」とセルＵＴＲＡ-Ｆ２の優先度「６」とを通知し、セルＵＴＲＡ-Ｆ１に「Ｒｅｄｉｒｅｃｔ」するように指示する。
【００４７】
ここで、かかる個別シグナリング（例えば、「ＲＲＣ  Ｃｏｎｎｅｃｔｉｏｎ  Ｒｅｌｅａｓｅメッセージ」）には、所定フラグ「Ｌｅｇａｃｙ  Ｃｅｌｌ  Ｒｅｓｅｌｅｃｔｉｏｎ  Ｆｌａｇ（ｉｎｔｒａ-ＵＴＲＡ＝Ｌｅｇａｃｙ）」が設定されている。
【００４８】
「Ｌｅｇａｃｙ  Ｃｅｌｌ  Ｒｅｓｅｌｅｃｔｉｏｎ  Ｆｌａｇ」が設定されている場合、たとえ同一の無線アクセスネットワーク内の異なる周波数間で優先度が設定されていても、移動局ＵＥは、Ｐｒｉｏｒｉｔｙ制御を実施せず、従来の無線品質に基づくセル再選択処理を実施する。
【００４９】
その結果、移動局ＵＥでは、セルＵＴＲＡ-Ｆ１の優先度「６」の方が、セルＬＴＥ-Ｆ０の優先度「４」よりも高くなり、ステップＳ１００２において、移動局ＵＥは、セルＵＴＲＡ-Ｆ１における待ち受けを開始する。
【００５０】
ステップＳ１００３において、移動局ＵＥは、セルＵＴＲＡ-Ｆ１とセルＵＴＲＡ-Ｆ２との間で、従来の無線品質に基づくセル再選択処理を行う。その結果、セルＵＴＲＡ-Ｆ２における無線品質の方が、セルＵＴＲＡ-Ｆ１における無線品質よりも良くなると、移動局ＵＥは、従来の無線品質に基づくセル再選択処理に従って、セルＵＴＲＡ-Ｆ２における待ち受けを開始する。
【００５１】
ステップＳ１００４において、移動局ＵＥは、セルＬＴＥ-Ｆ０とセルＵＴＲＡ-Ｆ２との間で、上述のＰｒｉｏｒｉｔｙ制御を行う。その結果、セルＬＴＥ-Ｆ０の優先度「４」が、セルＵＴＲＡ-Ｆ２の優先度「６」よりも低いため、移動局ＵＥは、上述のＰｒｉｏｒｉｔｙ制御に従って、セルＬＴＥ-Ｆ０における待ち受けを開始することなく、セルＵＴＲＡ-Ｆ２における待ち受けを継続する。
【００５２】
その結果、従来の移動通信システムのように、移動局ＵＥの待ち受けセルが繰り返し変更されるという現象の発生を防ぐことができる。
【００５３】
図２に示すように、かかる移動通信システムを構成する移動局ＵＥは、報知情報受信部１１と、個別シグナリング受信部１２と、待ち受け処理部１３とを具備している。
【００５４】
報知情報受信部１１は、各セルにおける報知情報を受信するように構成されている。
【００５５】
個別シグナリング受信部１２は、各無線アクセスネットワークの周波数（キャリア）又は周波数群に対する優先度を含む移動局ＵＥ用の個別シグナリングを受信するように構成されている。
【００５６】
待ち受け処理部１３は、かかる優先度又は各セルにおける無線品質に基づいて待ち受けセルを選択するように構成されている。
【００５７】
例えば、待ち受け処理部１３は、個別シグナリング受信部１２によって受信された個別シグナリングに所定フラグ「Ｌｅｇａｃｙ  Ｃｅｌｌ  Ｒｅｓｅｌｅｃｔｉｏｎ  Ｆｌａｇ（ｉｎｔｒａ-ＵＴＲＡ＝Ｌｅｇａｃｙ）」が設定されている場合には、同一の無線アクセスネットワーク内の異なる周波数が使用されている複数のセル（図１の例では、セルＵＴＲＡ-Ｆ１及びセルＵＴＲＡ-Ｆ２）の中から、各セルにおける無線品質に基づいて待ち受けセルを選択し、異なる無線アクセスネットワーク内の複数のセル（図１の例では、セルＬＴＥ-Ｆ０及びセルＵＴＲＡ-Ｆ２）の中から、個別シグナリングに含まれている優先度に基づいて待ち受けセルを選択するように構成されている。
【００５８】
また、待ち受け処理部１３は、個別シグナリング受信部１２によって受信された個別シグナリングに所定フラグ「Ｌｅｇａｃｙ  Ｃｅｌｌ  Ｒｅｓｅｌｅｃｔｉｏｎ  Ｆｌａｇ（ｉｎｔｒａ-ＵＴＲＡ＝Ｌｅｇａｃｙ）」が設定されていない場合には、同一の無線アクセスネットワーク内の異なる周波数が使用されている複数のセル（図１の例では、セルＵＴＲＡ-Ｆ１及びセルＵＴＲＡ-Ｆ２）の中から、個別シグナリングに含まれている優先度に基づいて待ち受けセルを選択するように構成されていてもよい。
【００５９】
ここで、所定フラグ「Ｌｅｇａｃｙ  Ｃｅｌｌ  Ｒｅｓｅｌｅｃｔｉｏｎ  Ｆｌａｇ」には、「ｉｎｔｒａ-ＵＴＲＡ＝Ｌｅｇａｃｙ」だけではなく、「ｉｎｔｒａ-ＧＳＭ＝Ｌｅｇａｃｙ」が設定されていてもよい。
【００６０】
以上に述べた本実施形態の特徴は、以下のように表現されていてもよい。
【００６１】
本実施形態の第１の特徴は、移動局ＵＥであって、各無線アクセスネットワークの周波数又は周波数群に対する優先度（Ｐｒｉｏｒｉｔｙ）を含む個別シグナリングを受信するように構成されている個別シグナリング受信部１２と、かかる優先度又は各セルにおける無線品質に基づいて待ち受けセルを選択するように構成されている待ち受け処理部１３とを具備し、個別シグナリング受信部１２によって受信された個別シグナリングに所定フラグ「Ｌｅｇａｃｙ  Ｃｅｌｌ  Ｒｅｓｅｌｅｃｔｉｏｎ  Ｆｌａｇ」が設定されている場合には、待ち受け処理部１３は、同一の無線アクセスネットワーク内の異なる周波数が使用されている複数のセルの中から、各セルにおける無線品質に基づいて待ち受けセルを選択し、異なる無線アクセスネットワーク内の複数のセルの中から、個別シグナリングに含まれている優先度に基づいて待ち受けセルを選択するように構成されていることを要旨とする。
【００６２】
本実施形態の第１の特徴において、個別シグナリング受信部１２によって受信された個別シグナリングに所定フラグ「Ｌｅｇａｃｙ  Ｃｅｌｌ  Ｒｅｓｅｌｅｃｔｉｏｎ  Ｆｌａｇ」が設定されていない場合には、待ち受け処理部１３は、同一の無線アクセスネットワーク内の異なる周波数が使用されている複数のセルの中から、個別シグナリングに含まれている優先度に基づいて待ち受けセルを選択するように構成されていてもよい。
【００６３】
本実施形態の第１の特徴において、個別シグナリングは、ＲＲＣコネクション開放信号「ＲＲＣ  Ｃｏｎｎｅｃｔｉｏｎ  Ｒｅｌｅａｓｅメッセージ」であってもよい。
【００６４】
本実施形態の第１の特徴において、所定フラグ「Ｌｅｇａｃｙ  Ｃｅｌｌ  Ｒｅｓｅｌｅｃｔｉｏｎ  Ｆｌａｇ」は、無線アクセスネットワーク（例えば、ＵＭＴＳ方式やＧＳＭ方式の無線アクセスネットワーク）毎に設定されていてもよい。
【００６５】
本実施形態の第１の特徴において、所定フラグ「Ｌｅｇａｃｙ  Ｃｅｌｌ  Ｒｅｓｅｌｅｃｔｉｏｎ  Ｆｌａｇ」は、全ての無線アクセスネットワーク例えば、ＵＭＴＳ方式やＧＳＭ方式の無線アクセスネットワーク）に共通に設定されていてもよい。
【００６６】
本実施形態の第２の特徴は、移動通信方法であって、無線基地局ｅＮＢ/ＮｏｄｅＢが、移動局ＵＥに対して、各無線アクセスネットワークの周波数又は周波数群に対する優先度を含む個別シグナリングを送信する工程Ａと、移動局ＵＥが、かかる優先度又は各セルにおける無線品質に基づいて待ち受けセルを選択する工程Ｂとを有し、工程Ｂにおいて、移動局ＵＥは、受信した個別シグナリングに所定フラグ「Ｌｅｇａｃｙ  Ｃｅｌｌ  Ｒｅｓｅｌｅｃｔｉｏｎ  Ｆｌａｇ」が設定されている場合には、同一の無線アクセスネットワーク内の異なる周波数が使用されている複数のセルの中から、各セルにおける無線品質に基づいて待ち受けセルを選択し、異なる無線アクセスネットワーク内の複数のセルの中から、個別シグナリングに含まれている優先度に基づいて待ち受けセルを選択することを要旨とする。
【００６７】
本実施形態の第２の特徴において、工程Ｂにおいて、移動局ＵＥは、受信した個別シグナリングに所定フラグ「Ｌｅｇａｃｙ  Ｃｅｌｌ  Ｒｅｓｅｌｅｃｔｉｏｎ  Ｆｌａｇ」が設定されていない場合には、移動局ＵＥは、同一の無線アクセスネットワーク内の異なる周波数が使用されている複数のセルの中から、個別シグナリングに含まれている優先度に基づいて待ち受けセルを選択してもよい。
【００６８】
本実施形態の第２の特徴において、個別シグナリングは、ＲＲＣコネクション開放信号「ＲＲＣ  Ｃｏｎｎｅｃｔｉｏｎ  Ｒｅｌｅａｓｅメッセージ」であってもよい。
【００６９】
本実施形態の第２の特徴において、所定フラグ「Ｌｅｇａｃｙ  Ｃｅｌｌ  Ｒｅｓｅｌｅｃｔｉｏｎ  Ｆｌａｇ」は、無線アクセスネットワーク例えば、ＵＭＴＳ方式やＧＳＭ方式の無線アクセスネットワーク）毎に設定されていてもよい。
【００７０】
本実施形態の第２の特徴において、所定フラグ「Ｌｅｇａｃｙ  Ｃｅｌｌ  Ｒｅｓｅｌｅｃｔｉｏｎ  Ｆｌａｇ」は、全ての無線アクセスネットワーク例えば、ＵＭＴＳ方式やＧＳＭ方式の無線アクセスネットワーク）に共通に設定されていてもよい。
【００７１】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
ＵＥ…移動局
１１…報知情報受信部
１２…個別シグナリング受信部
１３…待ち受け処理部
ｅＮＢ…無線基地局
２１…報知情報送信部
２２…個別シグナリング送信部
【図１】
2010183543.tif 000003
【図２】
2010183543.tif 000004
【図３】
2010183543.tif 000005
【図４】
2010183543.tif 000006
【図５】
2010183543.tif 000007